(57)【要約】【課題】ユニット状態での発光検査を容易化したストロボユニットを提供する。【解決手段】発光部Ｌがベース部材２０に収納されている状態を第１の状態とし、発光部Ｌがベース部材２０から繰り出されて突出した状態を第２の状態とし、ベース部材２０に、第１の状態にある発光部Ｌの発光窓１７が見える窓部として穴２０ｂ及び切欠２０ｅを形成し、発光検査が容易にできるようにした。これら穴２０ｂ及び切欠２０ｅは、カメラ本体に組み込んだ状態では、外装部材２９によって隠れ、外観から見えることはない。【選択図】図４
2011039296.tif 000002
【特許請求の範囲】
【請求項１】
撮像装置に内蔵されるストロボユニットであって、
発光部がベース部材に収納される第１の状態と、前記発光部が前記ベース部材から突出する第２の状態との間を移動可能であり、
前記ベース部材には、前記ストロボユニットを前記撮像装置に内蔵したときに外観とならない部分に、前記発光部が前記第１の状態となるときに、前記発光部の一部を露出させる窓部を形成することを特徴とするストロボユニット。
【請求項２】
前記ストロボユニットは、一端が前記発光部に固定し、他端が前記ベース部に固定するバネ部材を有するものであって、
前記窓部は、前記発光部と前記バネ部材との固定部を逃げる切欠であることを特徴とする請求項１に記載のストロボユニット。
【請求項３】
ベース部材に発光部を収納する第１の状態と、前記ベース部材から前記発光部を突出する第２の状態との間を移動可能なストロボユニットを内蔵する撮像装置であって、
前記ベース部材には、前記ストロボユニットを前記撮像装置に内蔵したときに外観とならない部分に、前記発光部が前記第１の状態となるときに、前記発光部の一部を露出させる窓部を形成することを特徴とする撮像装置。
【請求項４】
前記ストロボユニットは、一端が前記発光部に固定し、他端が前記ベース部に固定するバネ部材を有するものであって、
前記窓部は、前記発光部と前記バネ部材との固定部を逃げる切欠であることを特徴とする請求項３に記載の撮像装置。
【発明の詳細な説明】
【技術分野】
【０００１】
本発明は、発光部が移動可能なストロボユニット及びそれを搭載した撮像装置に関する。
【背景技術】
【０００２】
電子機器の製造工程においては、製品機能を満足するために、要所において多くの検査工程が設けられている。例えば、特許文献１では、レンズ付きフィルムユニットにおいて、シャッタの開閉検査やストロボの発光検査に関する技術が公開されている。
【先行技術文献】
【特許文献】
【０００３】
【特許文献１】特開２００１−２３５７８７号公報
【発明の概要】
【発明が解決しようとする課題】
【０００４】
このように電子機器の製造工程で各種検査が必要とされるが、ストロボの発光検査を行う場合、特許文献１に記載のように、常に発光部の位置が固定されたストロボユニットであれば、ユニット状態での発光検査を容易に行うことができる。
【０００５】
しかしながら、使用時と未使用時で発光部の位置が異なるポップアップストロボユニットでは、発光検査が困難な場合が多い。なぜなら、ユニット状態で発光検査を行おうとした場合、ストロボ光が放出される窓部が別部品で覆われるため、ストロボ光の確認が難しいためである。更に説明すると、ポップアップストロボユニットにおいて、未使用時には、発光部を保持し、昇降のガイドを行う保持部材により発光部が隠れた状態、つまり発光部が保持部材に収納された状態になっている。組立作業を実施する際、発光部に関する部品への傷対策や組立性を考慮して、この発光部が保持部材に収納された状態で作業を行うことになる。この発光部が保持部材に収納された状態においては、ストロボ光が放出される窓部が保持部品に覆われているため、発光検査が困難になるのである。
【０００６】
そこで、本発明は、ユニット状態での発光検査を容易化したストロボユニットを提供することを目的とする。
【課題を解決するための手段】
【０００７】
本発明のストロボユニットは、撮像装置に内蔵されるストロボユニットであって、発光部がベース部材に収納される第１の状態と、前記発光部が前記ベース部材から突出する第２の状態との間を移動可能であり、前記ベース部材には、前記ストロボユニットを前記撮像装置に内蔵したときに外観とならない部分に、前記発光部が前記第１の状態となるときに、前記発光部の一部を露出させる窓部を形成することを特徴とする。
本発明の撮像装置は、ベース部材に発光部を収納する第１の状態と、前記ベース部材から前記発光部を突出する第２の状態との間を移動可能なストロボユニットを内蔵する撮像装置であって、前記ベース部材には、前記ストロボユニットを前記撮像装置に内蔵したときに外観とならない部分に、前記発光部が前記第１の状態となるときに、前記発光部の一部を露出させる窓部を形成することを特徴とする。
【発明の効果】
【０００８】
本発明によれば、撮像装置の外観に影響を与えることなく、第１の状態でも発光検査を行うことができ、ユニット状態でのストロボユニットの発光検査を容易化することができる。
【図面の簡単な説明】
【０００９】
【図１】実施形態に係る電子カメラの電源ＯＦＦ時の外観斜視図である。
【図２】実施形態に係る電子カメラの電源ＯＦＦ時の外観斜視図である。
【図３】実施形態に係る電子カメラの電源ＯＮ時の外観斜視図である。
【図４】第１の状態にあるストロボユニットの正面図である。
【図５】第２の状態にあるストロボユニットの正面図である。
【図６】ストロボユニットの背面図である。
【図７】図４のＡ−Ａ線断面図である。
【図８】ストロボユニットの要部の斜視図である。
【図９】ストロボユニットの要部の斜視図である。
【発明を実施するための形態】
【００１０】
以下、添付図面を参照して、本発明の好適な実施形態について説明する。
図１、図２は本発明を適用したポップアップストロボユニットを搭載した撮像装置の例である電子カメラの電源ＯＦＦ時の外観斜視図である。また、図３は同電子カメラの電源ＯＮ時の外観斜視図である。図１、図３は前面側、図２は背面側の斜視図である。電子カメラは、外装部材２９により覆われたカメラ本体を備える。
【００１１】
本実施形態に係る電子カメラでは、パワーボタン２で電源のＯＮ／ＯＦＦの切り替えを行い、ズームレバー４でテレ／ワイドのズーム切り替えを行った後、レリーズボタン３で撮影を行うことができる。レリーズボタン３は２段階の押しボタン構成となっており、レリーズボタン３の半押し状態で、ＡＦ（オートフォーカス）処理、ＡＥ（自動露出）処理、ＡＷＢ（オートホワイトバランス）処理を行う。そして、レリーズボタン３の全押し状態で、不図示の撮像部からの信号読み出しからＳＤカード等の記録媒体に画像データを書き込むまでの一連の撮像処理の動作開始を行う。
【００１２】
ここでいう撮像部は、光学像を電気信号に変換するＣＣＤやＣＭＯＳ素子等で構成されている。撮影時には、鏡筒部８に構成される、レンズや撮像部を破損や汚れから保護するレンズバリア７が開き、不図示の複数のレンズ部を透過した光学像が撮像部に取り込まれることになる。更に撮像部から出力されたアナログ信号がＡ／Ｄ変換器によりデジタル信号に変換された後、各種画像処理を経て記録媒体に画像データが書き込まれることになる。
【００１３】
モードダイアル５では、各種モード切り替えることができる。例えばストロボ発光の有無の切り替えを行うことができる。また、適正な露出値等を自動で設定し静止画を撮影するオートモード、動画撮影モード、ユーザの設定によりいくつかのパラメータを変更できるマニュアルモードの切り替えを行うことができる。
【００１４】
ストロボユニット９は、電源ＯＦＦ時にはカメラ本体内に収納されており、電源ＯＮ時に、図３に示すように、鏡筒部８と同時にカメラ本体内から繰り出され、発光窓１７が露出される。ストロボユニット９は、夜間や暗所での撮影時に発光し、撮影を補助する。本実施形態に係る電子カメラでは、高倍率ズームの鏡筒部８を用いているため、鏡筒部８の外形が大きくなっている。そのため、ストロボがカメラ本体の前面側に配置されていると、ストロボ光が鏡筒部８の外形に遮られ、撮影点まで届く光が制限されてしまう。そこで、撮影時にはストロボユニット９を、鏡筒部８を避けられるカメラ本体外の位置まで繰り出し、ストロボ光が制限されることを防いでいる。補助光２７は、暗所での撮影時に発光することでＡＦ動作を補助したり、セルフタイマー使用時に発光することで被写体への確認手段として用いられたり、更には赤目緩和を目的とした発光に使用されたりする。
【００１５】
電子カメラの背面において、表示部１０には撮影時のライブ画像や、記録媒体に記録された画像の再生画像が表示される。再生ボタン１４では、撮影モード／再生モードの切り替えを行うことができる。ディスプレイボタン１５では、表示部１０に表示される情報の切り替えを行うことができる。メニューボタン１６では、各種設定値を変更するメニュー画面に切り替えることができる。また、これらの各種設定は、十字ボタン１１を用いて設定し、セットボタン１２を押すことにより実行される。プリントボタン１３は、撮影した画像を直接プリンタから出力する際に使用するボタンである。
【００１６】
図４、図５は、ストロボユニット９の正面図である。図４に示す、発光する必要が無く、発光部Ｌがベース部材２０に収納されているポップダウン状態を第１の状態とし、図５に示す、発光可能であり、発光部Ｌがベース部材２０から繰り出されて突出したポップアップ状態を第２の状態とする。なお、図６は、ストロボユニット９の背面図である。
【００１７】
ストロボユニット９の構成を説明する。ストロボユニット９は、ストロボ発光源を含んで構成される発光部Ｌと、発光部Ｌを収納するベース部材２０とを主要構成要素とする。
【００１８】
図５に示すように、発光部Ｌでは、カバー１８及びカバー１９に囲まれた内部にストロボ発光源が配置され、発光窓１７を通して光が発せられる。図７は、図４のＡ−Ａ線断面図である。発光窓１７の背後（図中上側）にはキセノン管、反射傘等が配置され、ストロボ発光源を構成する。これらカバー１８、１９、カバー１８、１９に囲まれたストロボ発光源、発光窓１７をまとめて発光部Ｌとする。
【００１９】
発光部Ｌはベース部材２０に収納可能とされており、ベース部材２０に設けられたガイドに沿って、第１の状態、第２の状態の間で移動可能である。図７に示すように、ベース部材２０の収納部の各内面に設けた突起部２０ａがガイドとなり、発光部Ｌが昇降することになる。
【００２０】
図６に示すように、ベース部材２０の収納部の背面側にはモータ２２が配設されている。本実施形態では、発光部Ｌの昇降のための動力に正逆回転可能なモータ２２を使用しており、その動きを補助する目的でバネ部材（ねじりコイルバネ）３０を設けている。図４、図５に示すように、バネ部材３０は両端が円形状になっており、一端をベース部材２０に設けた突起部２０ｄで、他端をカバー１８にビス３１で回転可能に固定している。
【００２１】
図６に示すように、モータ２２はストロボ基板２８に接続されており、カメラ本体側のＣＰＵ等の制御部から信号が伝達されると、ストロボ基板２８を介してモータ２２を駆動し、発光部Ｌを昇降させて、第１の状態、第２の状態の間を移動させる。図８は、ストロボ基板２８、ギアカバー２１等を不図示とした状態の斜視図である。モータ２２から伝達された動力は、ウォームギア２３、ギア２４、ギア２５を介してギア２６まで伝達される。図９は、ベース部材２０とストロボ基板２８を不図示とした状態の斜視図であり、カバー１８に設けられたラック１８ａによりギア２６の動力が伝達され、発光部Ｌの昇降が可能となる。
【００２２】
以上述べたストロボユニット９は、ベース部材２０に設けられた２つのタップ部２０ｃが、カメラ本体の不図示のシャーシにビス固定される。この組み付け時には、発光窓１７の傷防止や組立性等の観点から、発光部Ｌを図４に示す第１の状態としておく。図５に示す第２の状態では発光窓１７等が露出しているため、傷がつくおそれがあるからである。
【００２３】
ところで、このような電子カメラの製造工程においては、製品上の機能を満足するための検査工程が設けられており、このストロボユニット９の発光検査も行われる。この発光検査は、ユニット状態で行われることが望ましい。なぜなら、ストロボユニット９をカメラ本体に組み込んだ後に発光検査を行い、発光不良となった場合には、組み込んだものをばらす工程が増えてしまい、工程の無駄となるからである。通常、ポップアップ方式ではない、発光部が移動しない固定形態のストロボユニットにおいては、ユニット状態でも発光窓が露出されているので、発光検査が容易である。しかしながら、本実施形態のようにポップアップストロボの場合、発光部が昇降するためのガイド形状を形成する、ベース部材２０のような壁形状が必要となっている。既述したように、ストロボユニット９をカメラ本体に組み付けるときは、傷防止や組立性等の観点から第１の状態で組み付けるが、この状態では発光窓１７がベース部材２０で覆われることになり、ストロボ光が遮蔽され、発光検査が困難になる。
【００２４】
そこで、本実施形態では、ベース部材２０に、第１の状態にある発光窓１７の一部が見える窓部として穴２０ｂ及び切欠２０ｅを形成し、発光検査が容易にできるようにした。穴２０ｂ及び切欠２０ｅはストロボユニット９をカメラ本体に内蔵したときに外観とならない部分に、形成される。したがって、これら穴２０ｂ及び切欠２０ｅは、カメラ本体に組み込んだ状態では、図１に示すように、外装部材２９によって隠れ、カメラの外観とはならない。
【００２５】
穴２０ｂや切欠２０ｅの大きさ、形状、数については、発光検査が可能である限り、本実施形態のような形状に限らず、他の様々な要因を考慮して形状を決めることが望ましい。例えば、ベース部材２０の強度を考慮する必要がある。穴や切欠が必要以上に大きい場合は、発光部Ｌ自身の移動の衝撃や、外部からの落下等の衝撃で、ベース部材２０が変形するおそれもあるためである。また、発光検査の実施に伴い、光が拡散しにくいため、発光窓１７やその他の部品に熱を伝達してしまうおそれもある。部品がプラスチック部材で形成されている場合は、溶けることも考慮すべきである。そのため、ベース部材２０が溶けることのないよう光が拡散できる穴や切欠の大きさ、形状を考慮する必要がある。本実施形態においては、これらのことを考慮して、穴２０ｂ及び切欠２０ｅの大きさ、形状、数を決定している。
【００２６】
更に、本実施形態においては、発光部Ｌの昇降手段の補助として、バネ部材３０を使用している。バネ部材３０の一端がベース部材２０側に（突起部２０ｄ）、他端が発光部Ｌ側に（カバー１８のビス３１）固定されているので、発光部Ｌの昇降に伴ってビス３１（固定部）も昇降することになる。本実施形態では、図４、図５に示すように、切欠２０ｅが、第２の状態におけるビス３１の逃げ部も兼ねている。なお、ここではビス３１を逃す例を説明したが、それに限らず、所定の部材、例えばベース部材２０に設けた突起部２０ｄを逃す逃げ部を兼ねていても良い。
【００２７】
また、本実施形態では、第１の状態で発光部Ｌを発光させる発光検査時には、第２の状態で発光部Ｌを発光させる際の発光量よりも少ない発光量としている。すなわち通常撮影時よりも光量を落とした状態とすることにより、ベース部材２０を溶かすような問題を避けることができる。
【００２８】
以上、本発明の好ましい実施形態について説明したが、本発明はこれらの実施形態に限定されず、その要旨の範囲内で種々の変形及び変更が可能である。例えば、本実施形態では発光部Ｌの昇降のための動力にモータ２２を用いているが、モータを用いずに、手動で発光部Ｌを昇降させるようなポップアップストロボに本発明を適用することも可能である。
【００２９】
また、本実施形態では、発光部の移動が直線的であるが、発光部の移動が円や曲線方向等でもよく、本発明を適用する上で発光部の移動方向にはとらわれない。
【符号の説明】
【００３０】
Ｌ：発光部、９：ストロボユニット、１７：発光窓、１８、１９：カバー、２０：ベース部材、２０ｂ：穴、２０ｅ：切欠、３０：バネ部材、３１：ビス
【図１】
2011039296.tif 000003
【図２】
2011039296.tif 000004
【図３】
2011039296.tif 000005
【図４】
2011039296.tif 000006
【図５】
2011039296.tif 000007
【図６】
2011039296.tif 000008
【図７】
2011039296.tif 000009
【図８】
2011039296.tif 000010
【図９】
2011039296.tif 000011